(57)【要約】【課題】本発明は、複数の吐水先から好みの温度の湯水を容易に吐出させることができる湯水混合装置を提供する。【解決手段】本発明は、温度調整した湯水を、複数の吐水先（２、４，６）へ切り替えて吐出させる湯水混合装置（１）であって、吐出される湯水の温度を設定するための温調操作部（１０）と、湯水を吐出させる吐水先を切り替えるための吐水先切替操作部（１２ａ、１２ｂ、１２ｃ）と、供給された湯と水を混合して、所定温度の湯水を生成する温度調整部（２２）と、温調操作部により設定された温度、及び吐水先切替操作部によって切り替えられた吐水先に基づいて、温度調整部を制御する制御部（４２）と、を有し、制御部は、温調操作部により設定された設定温度を、吐水先切替操作部により切り替えられた吐水先に応じて補正し、この補正された補正温度の湯水が吐出されるように温度調整部を制御することを特徴としている。【選択図】図３
2010060180.tif 000002
【特許請求の範囲】
【請求項１】
温度調整した湯水を、複数の吐水先へ切り替えて吐出させる湯水混合装置であって、
吐出される湯水の温度を設定するための温調操作部と、
湯水を吐出させる吐水先を切り替えるための吐水先切替操作部と、
供給された湯と水を混合して、所定温度の湯水を生成する温度調整部と、
上記温調操作部により設定された温度、及び上記吐水先切替操作部によって切り替えられた吐水先に基づいて、上記温度調整部を制御する制御部と、を有し、
上記制御部は、上記温調操作部により設定された設定温度を、上記吐水先切替操作部により切り替えられた吐水先に応じて補正し、この補正された補正温度の湯水が吐出されるように上記温度調整部を制御することを特徴とする湯水混合装置。
【請求項２】
上記制御部は、上記補正温度と上記設定温度の差が、吐水先ごとに一定になるように、上記設定温度を補正する請求項１記載の湯水混合装置。
【請求項３】
上記制御部は、上記補正温度と上記設定温度の差が、吐水先及び設定温度に応じて変化するように、上記設定温度を補正する請求項１記載の湯水混合装置。
【請求項４】
上記制御部は、設定温度が高くなるにつれて上記補正温度と上記設定温度の差が大きくなるように、上記設定温度を補正する請求項３記載の湯水混合装置。
【発明の詳細な説明】
【技術分野】
【０００１】
本発明は、湯水混合装置に関し、特に、温度調整した湯水を、複数の吐水先へ切り替えて吐出させる湯水混合装置に関する。
【背景技術】
【０００２】
特開昭６２−２５５７３６号公報（特許文献１）には、湯水混合装置が記載されている。この湯水混合装置は、湯と水を混合した湯水を、浴槽用カラン、洗い場用カラン及びシャワーヘッドの３つの吐水先に切り替えて吐出させることができるように構成されている。各吐水先の近傍には、その吐水先から吐出される湯水の温度を設定するための設定器が設けられており、使用者は、吐水先ごとに好みの温度を設定することができる。
【０００３】
【特許文献１】特開昭６２−２５５７３６号公報
【発明の開示】
【発明が解決しようとする課題】
【０００４】
しかしながら、特開昭６２−２５５７３６号公報記載の湯水混合装置では、装置の使用者が代わり、前の使用者とは異なる温度の湯水を使用したい場合には、各吐水先について夫々温度設定をやり直す必要があるという不便がある。一方、一般的に使用されている従来の湯水混合装置では、設定可能な湯水の温度は１つであるから、使用者は、その１つの温度設定器を好みの温度に調節するだけで、各吐水先から同じ温度の湯水を吐出させることができる。しかし、実際には、１人の使用者が、吐水先を切り替えるごとに、好みの温度の湯水が得られるように設定温度を微調整しているのが実情である。
【０００５】
この原因として、各吐水先から同一温度の湯水が吐出されているとしても、湯水の使用態様により使用者の体感温度が異なること、また、吐水先により吐出孔までの配管の長さが異なるため、配管の長い吐出先では、吐水口から実際に吐出される湯水の温度が僅かに低下すること、等が考えられる。
従って、本発明は、複数の吐水先から好みの温度の湯水を容易に吐出させることができる湯水混合装置を提供することを目的としている。
【課題を解決するための手段】
【０００６】
上述した課題を解決するために、本発明は、温度調整した湯水を、複数の吐水先へ切り替えて吐出させる湯水混合装置であって、吐出される湯水の温度を設定するための温調操作部と、湯水を吐出させる吐水先を切り替えるための吐水先切替操作部と、供給された湯と水を混合して、所定温度の湯水を生成する温度調整部と、温調操作部により設定された温度、及び吐水先切替操作部によって切り替えられた吐水先に基づいて、温度調整部を制御する制御部と、を有し、制御部は、温調操作部により設定された設定温度を、吐水先切替操作部により切り替えられた吐水先に応じて補正し、この補正された補正温度の湯水が吐出されるように温度調整部を制御することを特徴としている。
【０００７】
このように構成された本発明においては、温調操作部により、吐出される湯水の温度が設定され、湯水は、吐水先切替操作部により切り替えられた吐水先から吐出される。制御部は、温調操作部により設定された温度、及び吐水先切替操作部によって切り替えられた吐水先に基づいて、温度調整部を制御する。この制御部は、温調操作部により設定された設定温度を、吐水先切替操作部により切り替えられた吐水先に応じて補正し、この補正された補正温度の湯水を吐出させる。
【０００８】
このように構成された本発明によれば、温調操作部により設定された設定温度が吐水先に応じて補正され、補正温度の湯水が吐出されるので、吐水先を替える度に温度を微調整する必要がなく、複数の吐水先から好みの温度の湯水を容易に吐出させることができる。
【０００９】
本発明において、好ましくは、制御部は、補正温度と設定温度の差が、吐水先ごとに一定になるように、設定温度を補正する。
このように構成された本発明によれば、補正温度と設定温度の差が、吐水先ごとに一定であるので、制御部において補正温度を容易に算出することができる。
【００１０】
本発明において、好ましくは、制御部は、補正温度と設定温度の差が、吐水先及び設定温度に応じて変化するように、設定温度を補正する。
このように構成された本発明によれば、補正温度と設定温度の差を、吐水先及び設定温度に応じて決定しているので、きめ細かく補正を行うことができる。
【００１１】
本発明において、好ましくは、制御部は、設定温度が高くなるにつれて補正温度と設定温度の差が大きくなるように、設定温度を補正する。
このように構成された本発明によれば、設定温度が高くなるにつれて、補正温度と設定温度の差が大きくなるように設定温度を補正しているので、使用者が、吐水先を切り替えるごとに、好みの温度の湯水が得られるように設定温度を調整する調整幅が大きくなる高い温度において、効果的に補正を行うことができる。
【発明の効果】
【００１２】
本発明の湯水混合装置によれば、複数の吐水先から好みの温度の湯水を容易に吐出させることができる。
【発明を実施するための最良の形態】
【００１３】
次に、添付図面を参照して、本発明の好ましい実施形態を説明する。
まず、図１乃至図４を参照して、本発明の第１実施形態による湯水混合装置を説明する。図１は、本発明の第１実施形態による湯水混合装置全体を示す斜視図である。図２は、本実施形態の湯水混合装置のブロック図である。図３は、本実施形態の湯水混合装置における設定温度と、実際に吐出される湯水の温度との関係を示すグラフである。図４は、本実施形態の湯水混合装置の作用を示すタイムチャートである。
【００１４】
図１に示すように、本発明の第１実施形態による湯水混合装置１は、３つの吐水先であるハンドシャワーヘッド２、オーバーヘッドシャワーヘッド４、及びカラン６を有し、さらに、これらの吐水先からの吐水を操作するための操作パネル８、を有する。操作パネル８は、温調操作部として機能する操作ハンドル１０と、吐止水先切替操作部として機能する３つの吐水先ボタン１２ａ、１２ｂ、１２ｃと、温調表示部１４と、流調表示部１６ａ、１６ｂと、を有する。
さらに、湯水混合装置１は、操作パネル８が取り付けられている壁面の裏側に配置された湯水混合装置機能部２０を有する。
【００１５】
操作ハンドル１０は、操作パネル８に設けられた円盤形のツマミであり、これを押圧操作する毎に各吐水先からの吐水、止水を切り替えることができる。また、操作ハンドル１０を回転操作することにより、湯水混合装置１から吐出される湯水の設定温度を変更することができる。このように設定された温度は、温調表示部１４に表示される。さらに、操作ハンドル１０を所定時間以上長押しすると、ハンドシャワーヘッド２及びオーバーヘッドシャワーヘッド４から吐出される湯水の流量を調整することができる。このように設定された流量は、流調表示部１６ａ、１６ｂに表示される。なお、本実施形態の湯水混合装置１においては、カラン６からの吐水流量は所定の流量に固定されている。
【００１６】
吐水先ボタン１２ａ、１２ｂ、１２ｃは、円形の押しボタンであり、吐水先ボタン１２ａを押圧操作することによりオーバーヘッドシャワーヘッド４から吐水され、吐水先ボタン１２ｂを押圧操作することによりハンドシャワーヘッド２から吐水され、吐水先ボタン１２ｃを押圧操作することによりカラン６から吐水されるように構成されている。なお、本実施形態においては、吐水中に或る吐水先ボタンが押圧されると、その吐水先からの吐水が開始されると共に、従前の吐水先からの吐水は停止される。
【００１７】
次に、図２を参照して、湯水混合装置機能部２０の構成を説明する。
湯水混合装置機能部２０には、温度調整部である混合弁２２と、この混合弁２２を駆動する混合弁駆動部２４と、ハンドシャワーヘッド２用の３つの開閉弁２６ａ、２６ｂ、２６ｃと、オーバーヘッドシャワーヘッド４用の２つの開閉弁２８ａ、２８ｂと、カラン６用の開閉弁３０が内蔵されている。さらに、湯水混合装置機能部２０には、３つの開閉弁２６ａ、２６ｂ、２６ｃの下流側に夫々接続された定流量弁３２ａ、３２ｂ、３２ｃと、２つの開閉弁２８ａ、２８ｂの下流側に夫々接続された定流量弁３４ａ、３４ｂと、開閉弁３０の下流側に接続された定流量弁３６が内蔵されている。
【００１８】
また、混合弁２２の下流側の管路には、混合弁２２で混合された湯水の温度を検出する混合温検出器３８が配置され、混合弁２２に湯を供給する給湯管２２ａには、給湯温検出器４０が配置されている。さらに、湯水混合装置機能部２０には、操作パネル８、混合温検出器３８、及び給湯温検出器４０からの信号に基づいて、混合弁駆動部２４及び各開閉弁を制御する制御部であるコントローラ４２が内蔵されている。
【００１９】
混合弁２２は、給湯管２２ａ及び給水管２２ｂから供給された湯及び水を混合することにより適温に調整した湯水を流出させるように構成されている。混合弁２２において混合される湯及び水の混合比は、混合弁駆動部２４により変更される。混合弁２２から流出した湯水の温度は、混合温検出器３８により検出され、その検出信号は、コントローラ４２に送られる。また、混合弁２２に供給される湯の温度は、給湯温検出器４０により検出され、その検出信号は、コントローラ４２に送られる。コントローラ４２は、操作パネル８からの指令信号、混合温検出器３８及び給湯温検出器４０からの検出信号に基づいて、混合弁駆動部２４を駆動し、所定温度の湯水が吐出されるように混合弁２２を制御するように構成されている。
【００２０】
混合弁２２から流出し、混合温検出器３８を通過した湯水は６つの管路に分岐され、各管路には開閉弁２６ａ、２６ｂ、２６ｃ、開閉弁２８ａ、２８ｂ、及び開閉弁３０が接続されている。
【００２１】
開閉弁２６ａ、２６ｂ、２６ｃはハンドシャワー用の開閉弁であり、各開閉弁の下流側で合流されてハンドシャワーヘッド２に接続されている。また、開閉弁２６ａ、２６ｂ、２６ｃとハンドシャワーヘッド２の間には、定流量弁３２ａ、３２ｂ、３２ｃが夫々接続されており、各開閉弁２６ａ、２６ｂ、２６ｃが開放されたときの吐水流量を、大流量、中流量、小流量に夫々調整している。
【００２２】
開閉弁２８ａ、２８ｂはオーバーヘッドシャワー用の開閉弁であり、各開閉弁の下流側で合流されてオーバーヘッドシャワーヘッド４に接続されている。また、開閉弁２８ａ、２８ｂとオーバーヘッドシャワーヘッド４の間には、定流量弁３４ａ、３４ｂが夫々接続されており、各開閉弁２８ａ、２８ｂが開放されたときの吐水流量を、大流量、小流量に夫々調整している。
【００２３】
開閉弁３０はカラン用の開閉弁であり、開閉弁の下流側はカラン６に接続されている。また、開閉弁３０とカラン６の間には、定流量弁３６が接続されており、開閉弁３０が開放されたときの吐水流量を、適量に調整している。
【００２４】
コントローラ４２は、操作パネル８からの指令信号に基づいて、開閉弁２６ａ、２６ｂ、２６ｃ、開閉弁２８ａ、２８ｂ、開閉弁３０を制御して、開閉させるように構成されている。具体的には、コントローラ４２は、マイクロプロセッサ、メモリー、及びこれらを作動させるプログラム等（図示せず）から構成されている。
【００２５】
次に、図３及び図４を参照して、本発明の第１実施形態による湯水混合装置１の作用を説明する。図４に示すタイムチャートは、上段から順に、吐止水の状態、吐水先の選択状態、操作ハンドルによる設定温度、混合弁から吐出される湯水の補正温度を示している。
【００２６】
図３に示すように、コントローラ４２は、吐水先としてカラン６が選択されている場合には、操作ハンドル１０により設定され、温調表示部１４に表示されている温度の湯水が混合弁２２から吐出されるように、混合弁２２を制御する。しかしながら、吐水先としてハンドシャワーヘッド２が選択されている場合には、コントローラ４２は、温調表示部１４に表示されている設定温度よりもΔＡ゜Ｃ高い補正温度の湯水が混合弁２２から吐出されるように吐出温度を補正して、混合弁２２を制御する。また、コントローラ４２は、吐水先としてオーバーヘッドシャワーヘッド４が選択されている場合には、設定温度よりもΔＢ゜Ｃ高い補正温度の湯水が吐出されるように吐出温度を補正して、混合弁２２を制御する。
なお、本実施形態においては、ΔＡは約０．５゜Ｃに、ΔＢは約１゜Ｃに設定されている。
【００２７】
まず、図４の時刻ｔ１において、使用者が操作ハンドル１０を押圧操作すると、吐水が開始される。時刻ｔ１においては、操作パネル８の吐水先ボタン１２ｃが押された状態であるため、コントローラ４２は開閉弁３０に信号を送って、これを開放させる。これにより、混合弁２２から流出した湯水は、開閉弁３０、定流量弁３６を通ってカラン６から吐出される。また、時刻ｔ１においては、吐出する湯水の温度はＴ１゜Ｃに設定されているので、コントローラ４２は混合弁２２から吐出され、混合温検出器３８によって検出される湯水の温度が、Ｔ１゜Ｃになるように、混合弁２２を制御する。
【００２８】
次いで、時刻ｔ２において、使用者が吐水先ボタン１２ｂを押圧操作すると、コントローラ４２は開閉弁３０に信号を送って、これを閉鎖させると共に、開閉弁２６ａ、２６ｂ又は２６ｃに信号を送って、何れかの開閉弁を開放させる。これにより、カラン６からの吐水は停止され、混合弁２２から流出した湯水は、開閉弁、定流量弁を通ってハンドシャワーヘッド２から吐出される。コントローラ４２が開閉弁２６ａ、２６ｂ又は２６ｃの何れを開放させるかは、従前の吐水流量の設定に依存し、前回のハンドシャワー使用時に開放されていた方の開閉弁が開放される。
【００２９】
また、時刻ｔ２においては、操作部の設定温度はＴ１゜Ｃであるが、ハンドシャワーヘッド２からの吐水は、図３のグラフに従って補正されるので、コントローラ４２は、混合温検出器３８によって検出される湯水の温度が、Ｔ１＋ΔＡ゜Ｃになるように混合弁２２を制御する。このように、湯水を設定温度とは異なる補正温度によりハンドシャワーヘッド２から吐水させることにより、使用者が体感するカラン吐水の温度とハンドシャワー吐水の温度は等しくなる。
【００３０】
さらに、時刻ｔ３において、使用者が吐水先ボタン１２ａを押圧操作すると、コントローラ４２は開閉弁２６ａ乃至２６ｃの何れかに信号を送って、これを閉鎖させると共に、開閉弁２８ａ又は２８ｂに信号を送って、どちらかの開閉弁を開放させる。これにより、ハンドシャワーヘッド２からの吐水は停止され、混合弁２２から流出した湯水は、開閉弁、定流量弁を通ってオーバーヘッドシャワーヘッド４から吐出される。
【００３１】
また、時刻ｔ３においては、操作部の設定温度はＴ１゜Ｃであるが、オーバーヘッドシャワーヘッド４からの吐水は、図３のグラフに従って補正されるので、コントローラ４２は、混合温検出器３８によって検出される湯水の温度が、Ｔ１＋ΔＢ゜Ｃになるように混合弁２２を制御する。これにより、使用者が体感するカラン吐水の温度とオーバーヘッドシャワー吐水の温度は等しくなる。
【００３２】
次に、時刻ｔ４において、使用者が操作ハンドル１０を押圧操作すると、オーバーヘッドシャワーヘッド４からの吐水が停止される。さらに、時刻ｔ５において、使用者が吐水先ボタン１２ｂを押圧操作すると、吐水先がハンドシャワーヘッド２に切り替えられる。
【００３３】
次いで、時刻ｔ６において、使用者が操作ハンドル１０を押圧操作すると、ハンドシャワーヘッド２から吐水が開始される。この際ハンドシャワーヘッド２から吐出される湯水の温度は、操作部での設定温度Ｔ１を補正した補正温度Ｔ１＋ΔＡ゜Ｃである。さらに、時刻ｔ７において、使用者が操作ハンドル１０を回転操作して、設定温度をＴ２に上昇させると、ハンドシャワーヘッド２から吐出される湯水の温度は、設定温度Ｔ２を補正した補正温度Ｔ２＋ΔＡ゜Ｃとなる。
【００３４】
本発明の第１実施形態の湯水混合装置によれば、操作ハンドルにより設定された設定温度が吐水先に応じて補正され、補正温度の湯水が吐出されるので、吐水先をカラン、ハンドシャワー、オーバーヘッドシャワーに替える度に温度を微調整する必要がなく、１回の温度設定で各吐水先から好みの温度の湯水を容易に吐出させることができる。
【００３５】
また、本実施形態の湯水混合装置によれば、コントローラは、吐水先ごとに設定温度の補正量が一定になるように設定温度を補正しているので、コントローラにおいて補正温度を容易に算出することができる。
【００３６】
次に、図５及び図６を参照して、本発明の第２実施形態による湯水混合装置を説明する。図５は、本実施形態の湯水混合装置における設定温度と、実際に吐出される湯水の温度との関係を示すグラフである。図６は、本実施形態の湯水混合装置の作用を示すタイムチャートである。
【００３７】
本実施形態の湯水混合装置は、コントローラによる設定温度の補正が、上述した第１実施形態とは異なる。従って、ここでは、本実施形態の第１実施形態とは異なる点のみを説明し、同様の点については説明を省略する。
【００３８】
図５に示すように、本実施形態においては、設定温度＝Ｔ０において、設定温度の補正量が０であり、設定温度が高くなるほど補正量は大きくなる。また、本実施形態においても、第１実施形態と同様に、吐水先がカラン６であるとき、設定温度と補正温度は一致（補正量＝０）する。また、ハンドシャワー吐水、及びオーバーヘッドシャワー吐水においては、設定温度よりも補正温度が高くなる。図５に示す設定温度に対する補正温度のグラフの傾きｋは、カラン吐水ではｋ＝１、ハンドシャワー吐水ではｋ＝ｋHS、オーバーヘッドシャワー吐水ではｋ＝ｋOHSである。なお、本実施形態においては、ｋHS＝約１．０３、ｋOHS＝約１．０７である。
【００３９】
従って、設定温度がＴ゜Ｃである場合におけるハンドシャワー吐水の補正温度はｋHS×（Ｔ−Ｔ０）＋Ｔ０゜Ｃであり、補正量ΔＡ（Ｔ）は、
ΔＡ（Ｔ）＝（ｋHS−１）×（Ｔ−Ｔ０）゜Ｃ
により計算することができる。
また、設定温度がＴ゜Ｃである場合におけるオーバーヘッドシャワー吐水の補正温度はｋOHS×（Ｔ−Ｔ０）＋Ｔ０゜Ｃであり、補正量ΔＢ（Ｔ）は、
ΔＢ（Ｔ）＝（ｋOHS−１）×（Ｔ−Ｔ０）゜Ｃ
により計算することができる。
【００４０】
次に、図６を参照して、本発明の第２実施形態による湯水混合装置の作用を説明する。
まず、図６の時刻ｔ１０においてカラン６からの吐水が開始される。カラン吐水は設定温度と補正温度が等しいので、カランから吐出される湯水の温度は、設定温度と同じＴ１゜Ｃとなる。次に、時刻ｔ１１において、吐水先がハンドシャワーに切り替えられると、ハンドシャワー吐水の補正量は上式から、
ΔＡ（Ｔ１）＝（ｋHS-１）×（Ｔ１-Ｔ０）゜Ｃ
と計算され、ハンドシャワーヘッド２から吐出される湯水の補正温度は、Ｔ１＋ΔＡ（Ｔ１）゜Ｃとなる。
【００４１】
さらに、時刻ｔ１２において、吐水先がオーバーヘッドシャワーに切り替えられると、オーバーヘッドシャワー吐水の補正量は上式から、
ΔＢ（Ｔ１）＝（ｋOHS-１）×（Ｔ１-Ｔ０）゜Ｃ
と計算され、オーバーヘッドシャワーヘッド４から吐出される湯水の補正温度は、Ｔ１＋ΔＢ（Ｔ１）゜Ｃとなる。
【００４２】
次に、時刻ｔ１３において、オーバーヘッドシャワー吐水が停止され、時刻ｔ１４において、吐水先がハンドシャワーヘッド２に切り替えられる。時刻ｔ１５において、再び吐水が開始されると、ハンドシャワーヘッド２からは、Ｔ１＋ΔＡ（Ｔ１）゜Ｃの湯水が吐出される。
【００４３】
さらに、時刻ｔ１６において、設定温度がＴ１゜ＣからＴ２゜Ｃに上昇されると、ハンドシャワー吐水の補正量は、
ΔＡ（Ｔ２）＝（ｋHS-１）×（Ｔ２-Ｔ０）゜Ｃ
と計算される。この補正量ΔＡ（Ｔ２）は、設定温度Ｔ１における補正量ΔＡ（Ｔ１）よりも大きくなる。ハンドシャワーヘッド２から吐出される湯水の補正温度は、Ｔ２＋ΔＡ（Ｔ２）゜Ｃとなる。
【００４４】
本発明の第２実施形態の湯水混合装置によれば、設定温度の補正量を、吐水先及び設定温度に応じて決定しているので、きめ細かく補正を行うことができる。
また、本実施形態の湯水混合装置によれば、設定温度が高くなるにつれて、補正量が大きくなるように設定温度を補正しているので、使用者が、吐水先を切り替えるごとに、好みの温度の湯水が得られるように設定温度を調整する調整幅が大きくなる高い温度において、効果的に補正を行うことができる。高い温度において、使用者が設定温度をを調整する幅が大きくなる要因としては、混合弁から流出した湯水から湯水を導く管路に逃げる熱の量は、管路と湯水の温度差に比例するので、設定温度が高いほど湯水から管路に逃げる熱量は大きくなること。吐水口（例えばオーバーヘッドシャワー）から吐出された湯水が使用者の体に触れるまでに湯水の熱が空気中に放出され、温度低下を起こすこと、更には、オーバーヘッドシャワーやハンドシャーワーなどのシャワーの吐水形態においては、吐水が細いため湯水が空気に触れる表面積が広く、カランの吐水に比べて湯水の熱が空気中に逃げやすく、温度低下起こすことが挙げられる。そのため、本実施形態による湯水混合装置は、このような温度低下を補正するのに好適である。
【００４５】
以上、本発明の好ましい実施形態を説明したが、上述した実施形態に種々の変更を加えることができる。特に、上述した実施形態においては、吐水先、設定温度に応じて補正量を変化させていたが、吐水先及び吐水流量に応じて補正量が変化するように、湯水混合装置を構成することもできる。
また、上述した実施形態においては、吐水先は３箇所であったが、吐水先の数は２箇所、又は４箇所以上でも良く、任意に設定することができる。
【図面の簡単な説明】
【００４６】
【図１】本発明の第１実施形態による湯水混合装置全体を示す斜視図である。
【図２】本発明の第１実施形態による湯水混合装置のブロック図である。
【図３】本発明の第１実施形態による湯水混合装置における設定温度と、実際に吐出される湯水の温度との関係を示すグラフである。
【図４】本発明の第１実施形態による湯水混合装置の作用を示すタイムチャートである。
【図５】本発明の第２実施形態による湯水混合装置における設定温度と、実際に吐出される湯水の温度との関係を示すグラフである。
【図６】本発明の第２実施形態による湯水混合装置の作用を示すタイムチャートである。
【符号の説明】
【００４７】
１      本発明の第１実施形態による湯水混合装置
２      ハンドシャワーヘッド
４      オーバーヘッドシャワーヘッド
６      カラン
８      操作パネル
１０    操作ハンドル（温調操作部）
１２ａ、１２ｂ、１２ｃ  吐水先ボタン（吐止水先切替操作部）
１４    温調表示部
１６ａ、１６ｂ  流調表示部
２０    湯水混合装置機能部
２２    混合弁（温度調整部）
２２ａ  給湯管
２２ｂ  給水管
２４    混合弁駆動部
２６ａ、２６ｂ、２６ｃ  開閉弁
２８ａ、２８ｂ  開閉弁
３０    開閉弁
３２ａ、３２ｂ、３２ｃ  定流量弁
３４ａ、３４ｂ  定流量弁
３６    定流量弁
３８    混合温検出器
４０    給湯温検出器
４２    コントローラ（制御部）
【図１】
2010060180.tif 000003
【図２】
2010060180.tif 000004
【図３】
2010060180.tif 000005
【図４】
2010060180.tif 000006
【図５】
2010060180.tif 000007
【図６】
2010060180.tif 000008